(57)【要約】【課題】液晶表示装置において、反射部の輝度を向上させる。【解決手段】第１の基板と、第２の基板と、前記第１の基板と第２の基板との間に挟持される液晶とを有する液晶表示パネルを備え、前記液晶表示パネルは、複数のサブピクセルを有し、前記複数のサブピクセルは、第１ないし第３の少なくとも３個の透過型サブピクセルと、反射型サブピクセルとを１つの基本単位となし、前記第１ないし第３の透過型サブピクセルと、前記反射型サブピクセルとは、それぞれ独立して制御駆動され、前記第１の透過型サブピクセルは、第１の色を表示し、前記第２の透過型サブピクセルは、第２の色を表示し、前記第３の透過型サブピクセルは、第３の色を表示し、前記反射型サブピクセルは、白色を表示する。【選択図】図１
2008064945.tif 000002
【特許請求の範囲】
【請求項１】
第１の基板と、
第２の基板と、
前記第１の基板と第２の基板との間に挟持される液晶とを有する液晶表示パネルを備え、
前記液晶表示パネルは、複数のサブピクセルを有し、
前記複数のサブピクセルは、第１ないし第３の少なくとも３個の透過型サブピクセルと、反射型サブピクセルとを１つの基本単位となし、
前記第１ないし第３の透過型サブピクセルと、前記反射型サブピクセルとは、それぞれ独立して制御駆動され、
前記第１の透過型サブピクセルは、第１の色を表示し、
前記第２の透過型サブピクセルは、第２の色を表示し、
前記第３の透過型サブピクセルは、第３の色を表示し、
前記反射型サブピクセルは、白色を表示することを特徴とする液晶表示装置。
【請求項２】
前記反射型サブピクセルにより表示される白色の輝度は、前記第１の透過型サブピクセルにより表示される第１の色の輝度、前記第２の透過型サブピクセルにより表示される第２の色の輝度、および前記第３の透過型サブピクセルにより表示される第３の色の輝度に基づいて決定されることを特徴する請求項１に記載の液晶表示装置。
【請求項３】
前記反射型サブピクセルにより表示される白色の輝度は、前記第１の透過型サブピクセルにより表示される第１の色の輝度と、前記第２の透過型サブピクセルにより表示される第２の色の輝度と、前記第３の透過型サブピクセルにより表示される第３の色の輝度との和であることを特徴する請求項２に記載の液晶表示装置。
【請求項４】
第１の基板と、
第２の基板と、
前記第１の基板と第２の基板との間に挟持される液晶とを有する液晶表示パネルを備え、
前記液晶表示パネルは、複数のサブピクセルを有し、
前記複数のサブピクセルは、第１ないし第３の少なくとも３個の透過型サブピクセルと、反射型サブピクセルとを１つの基本単位となし、
前記４つの基本単位の中の１番目ないし４番目の前記反射型サブピクセルが周期的に配置されるように、前記複数のサブピクセルは配置され、
前記第１ないし第３の透過型サブピクセルと、前記反射型サブピクセルとは、それぞれ独立して制御駆動され、
前記４つの基本単位の中の４個の前記第１の透過型サブピクセルと、前記１番目の反射型サブピクセルは、第１の色を表示し、
前記４つの基本単位の中の４個の前記第２の透過型サブピクセルと、前記２番目の反射型サブピクセルは、第２の色を表示し、
前記４つの基本単位の中の４個の前記第３の透過型サブピクセルと、前記３番目の反射型サブピクセルは、第３の色を表示し、
前記４番目の反射型サブピクセルは、白色を表示することを特徴とする液晶表示装置。
【請求項５】
前記１番目の反射型サブピクセルにより表示される第１の色の輝度は、前記４つの基本単位の中の４個の前記第１の透過型サブピクセルに表示される第１の色の輝度に基づいて決定され、
前記２番目の反射型サブピクセルにより表示される第２の色の輝度は、前記４つの基本単位の中の４個の前記第２の透過型サブピクセルに表示される第２の色の輝度に基づいて決定され、
前記３番目の反射型サブピクセルにより表示される第３の色の輝度は、前記４つの基本単位の中の４個の前記第３の透過型サブピクセルに表示される第３の色の輝度に基づいて決定され、
前記４番目の反射型サブピクセルにより表示される白色の輝度は、前記４つの基本単位の中の４個の前記第１の透過型サブピクセルに表示される第１の色の輝度、４個の前記第２の透過型サブピクセルに表示される第２の色の輝度、および、４個の前記第３の透過型サブピクセルに表示される第３の色の輝度に基づいて決定されることを特徴する請求項４に記載の液晶表示装置。
【請求項６】
前記１番目の反射型サブピクセルにより表示される第１の色の輝度は、前記４個の前記第１の透過型サブピクセルに表示される第１の色の輝度の平均値であり、
前記２番目の反射型サブピクセルにより表示される第２の色の輝度は、前記４個の前記第２の透過型サブピクセルに表示される第２の色の輝度の平均値であり、
前記３番目の反射型サブピクセルにより表示される第３の色の輝度は、前記４個の前記第３の透過型サブピクセルに表示される第３の色の輝度の平均値であり、
前記４番目の反射型サブピクセルにより表示される白色の輝度は、前記４個の前記第１の透過型サブピクセルに表示される第１の色の輝度の平均値と、前記４個の前記第２の透過型サブピクセルに表示される第２の色の輝度の平均値と、前記４個の前記第３の透過型サブピクセルに表示される第３の色の輝度の平均値との和であることを特徴する請求項５に記載の液晶表示装置。
【請求項７】
前記第１ないし第３の透過型サブピクセルの液晶の厚さと、前記反射型サブピクセルの液晶層の厚さとは同じであることを特徴とする請求項１ないし請求項６のいずれか１項に記載の液晶表示装置。
【請求項８】
前記反射型サブピクセルの液晶層に印加される最小駆動電圧と最大駆動電圧との電位差は、前記第１ないし第３の透過型サブピクセルの液晶層に印加される最小駆動電圧と最大駆動電圧との電位差よりも小さいことを特徴とする請求項７に記載の液晶表示装置。
【請求項９】
前記反射型サブピクセルの液晶層の厚さは、前記第１ないし第３の透過型サブピクセルの液晶の厚さよりも薄いことを特徴とする請求項１ないし請求項６のいずれか１項に記載の液晶表示装置。
【請求項１０】
前記反射型サブピクセルは、前記反射型サブピクセルの液晶層の厚さを調整する段差形成層を、前記第１の基板、あるいは、前記第２の基板に有することを特徴とする請求項９に記載の液晶表示装置。
【請求項１１】
前記複数のサブピクセルの各サブピクセルは、前記第１の基板上に形成された画素電極と、前記第２の基板上に形成された対向電極とを有し、
前記画素電極と前記対向電極とによって電界を発生させて前記液晶を駆動することを特徴とする請求項１ないし請求項１０のいずれか１項に記載の液晶表示装置。
【請求項１２】
前記反射型サブピクセルは、前記画素電極上、あるいは前記画素電極下に形成される反射電極を有することを特徴とする請求項１１に記載の液晶表示装置。
【請求項１３】
前記複数のサブピクセルの各サブピクセルは、前記第１の基板上に形成された画素電極と対向電極とを有し、
前記画素電極と前記対向電極とによって電界を発生させて前記液晶を駆動することを特徴とする請求項１ないし請求項１０のいずれか１項に記載の液晶表示装置。
【請求項１４】
前記反射型サブピクセルは、前記対向電極上、あるいは前記対向電極下に形成される反射電極を有することを特徴とする請求項１３に記載の液晶表示装置。
【請求項１５】
前記対向電極は、面状の電極であり、
前記面状の対向電極上に形成される層間絶縁膜を有し、
前記画素電極は、前記層間絶縁膜上に形成されることを特徴とする請求項１３または請求項１４に記載の液晶表示装置。
【請求項１６】
前記反射型サブピクセルは、第２の基板に位相差板を有することを特徴とする請求項１３ないし請求項１５のいずれか１項に記載の液晶表示装置。
【請求項１７】
前記第１の色は、赤色であり、
前記第２の色は、緑色であり、
前記第３の色は、青色であることを特徴とする請求項１ないし請求項１６のいずれか１項に記載の液晶表示装置。
【発明の詳細な説明】
【技術分野】
【０００１】
本発明は、液晶表示装置に係り、特に、ＴＮ（Twisted Nematic）方式、ＥＣＢ（Electrically Controlled Birefringence）方式、ＶＡ（Vertical Alignment）方式、ＩＰＳ（In-Plane Switching）方式に限らず、全ての半透過型液晶表示装置に適用して有効な技術に関する。
【背景技術】
【０００２】
液晶表示パネルは、対向する２枚の基板間に保持された液晶に電界を印加することにより光の透過、非透過を制御し、明暗を表示する光学素子であり、透過型、反射型、半透過型の３種類に分類することができる。
透過型液晶表示パネルは、観察面とは反対側に配置された光源（バックライト）から照射される光の透過率を、液晶表示パネルにより制御するものであり、主に屋内での用途に用いられる。
反射型液晶表示パネルは、観察面から入射した光を液晶表示パネル内に設置された反射板により反射させ、その時の反射率を制御するもので、主に屋外での用途に用いられる。
半透過型液晶表示パネルは、透過型と反射型の両方を備えたものであり、屋内用途でも屋外用途でも用いることができる。
【０００３】
図２８は、従来の半透過型液晶表示パネルのサブピクセル構成を示す平面図である。
図２９は、図２８のＡ−Ａ’切断線に沿った概略断面構造の一例を示す断面図、図３０は、図２８のＡ−Ａ’切断線に沿った概略断面構造の他の例を示す断面図である。
図２８〜図３０に示す半透過型液晶表示装置は、ＶＡ（縦電界モード、ネガ液晶）方式の半透過型液晶表示装置であり、図２８〜図３０において、３０は透過部、３１は反射部である。
図２８〜図３０に示す従来の半透過型液晶表示パネルでは、液晶層（ＬＣ）を挟んで、一対のガラス基板（ＳＵＢ１，ＳＵＢ２）が設けられる。図２８〜図３０に示す従来の半透過型液晶表示パネルでは、ガラス基板（ＳＵＢ２；ＣＦ基板ともいう。）の主表面側が観察側となっている。
ガラス基板（ＳＵＢ２）の液晶層側には、ガラス基板（ＳＵＢ２）から液晶層（ＬＣ）に向かって順に、遮光膜（ブラックマトリクスともいう）（ＢＭ）およびカラーフィルタ（ＣＦＲ）、保護膜（ＯＣ）、対向電極（ＣＥ；共通電極ともいう）、配向膜（ＡＬ２）が形成される。なお、ガラス基板（ＳＵＢ２）の外側には、位相差板（ＲＥＴ２）と、偏光板（ＰＯＬ２）が配置される。
【０００４】
また、ガラス基板（ＳＵＢ１；ＴＦＴ基板ともいう）の液晶層側には、ガラス基板（ＳＵＢ１）から液晶層（ＬＣ）に向かって順に、薄膜トランジスタ（ＴＦＴ）、層間絶縁膜（ＰＡＳ１）、走査線（ゲート線ともいう）（図示せず）、層間絶縁膜（ＰＡＳ２）、映像線（ソース線またはドレイン線ともいう）（図示せず）、画素電極（ＰＥ）、反射電極（ＲＥ）、配向膜（ＡＬ１）が形成される。なお、ガラス基板（ＳＵＢ１）の外側には、位相差板（ＲＥＴ１）、偏光板（ＰＯＬ１）が配置される。なお、図３０では、配向膜（ＡＬ１，ＡＬ２）と、偏光板（ＰＯＬ１，ＰＯＬ２）と、位相差板（ＲＥＴ１，ＲＥＴ２）の図示は省略している。
図２８〜図３０に示す従来の半透過型液晶表示パネルにおいて、透過部３０および反射部３１は、位相差板（ＲＥＴ１，ＲＥＴ２）と液晶層（ＬＣ）の複屈折性を利用して光の明暗を表示する。
反射部３１のセルギャップ長は、透過部３０のセルギャップ長の約半分に設定している。これは、反射部３１は往復２回光が通過するため、透過部３０と反射部３１とで光路長をおおよそ一致させるためである。
【０００５】
なお、本願発明に関連する先行技術文献としては以下のものがある。
【特許文献１】特開２００４−９３６７０号公報
【特許文献２】特開平１１−２９５７１７号公報
【発明の開示】
【発明が解決しようとする課題】
【０００６】
従来の半透過型液晶表示パネルの１サブサブピクセルは、透過部３０と反射部３１とから構成され、また、カラー表示を行なうためには、各サブピクセルに、それぞれ赤（Ｒ）、緑（Ｇ）、青（Ｂ）などのカラーフィルタを備える必要がある。
そして、透過部３０と反射部３１とで階調−輝度特性を相似形にし、透過率、反射率ともに極大値を使用するためには、透過部３０と反射部３１のセルギャップ比率を約２：１に設定し、透過部３０と反射部３１の光路長（光学的位相差）を概略一致させる必要がある。しかしながら、透過部３０と反射部３１との間に段差を設けることにより、段差部の液晶分子の配向が乱れてしまい、図２９のＰＡ１に示すように、黒表示時に光漏れをしてしまうという問題がある。
このため、段差部の光漏れは、金属や遮光膜（ＢＭ）などで遮光する必要があるが、通常、段差部の遮光領域（図３０のＴＢ２に示す領域）は、透過部３０の一部と反射部３１の一部に重なるため、その分、開口率が低下してしまい、透過率、反射率が犠牲になるという問題点がある。
【０００７】
また、反射部３１だけに着目すると、反射部３１は、ＲＲ，ＲＧ，ＲＢと複数領域に分かれているが、その境界部は、信号線や遮光膜（ＢＭ）で分断されているため、その分、反射開口率が低下してしまうという問題点がある。なお、図２９、図３０のＴＢ１は、段差部以外の領域に形成される遮光膜（ＢＭ）で遮光される遮光領域を示す。
さらに、反射部３１の光は、外光の入射と反射とで往復２回カラーフィルタを通過するため光の吸収が大きく、反射輝度が低くなってしまう問題があった。
このような問題を解決するために、前述の特許文献１では、カラーフィルタを透過部３０にのみ設けて、反射部３１にはカラーフィルタを設けない構成を公開している。この場合も反射率は向上するが、これでもなお反射率が不十分である。
また、前述の特許文献２では、Ｒ、Ｇ、Ｂ、Ｗのサブピクセルで１画素を構成することが開示されているが、Ｗのサブピクセルを反射型で構成することは開示されていない。
本発明は、前記従来技術の問題点を解決するためになされたものであり、本発明の目的は、液晶表示装置において、反射部の輝度を向上させることが可能となる技術を提供することにある。
本発明の前記ならびにその他の目的と新規な特徴は、本明細書の記述及び添付図面によって明らかにする。
【課題を解決するための手段】
【０００８】
本願において開示される発明のうち、代表的なものの概要を簡単に説明すれば、下記の通りである。
（１）第１の基板と、第２の基板と、前記第１の基板と第２の基板との間に挟持される液晶とを有する液晶表示パネルを備え、前記液晶表示パネルは、複数のサブピクセルを有し、前記複数のサブピクセルは、第１ないし第３の少なくとも３個の透過型サブピクセルと、反射型サブピクセルとを１つの基本単位となし、前記第１ないし第３の透過型サブピクセルと、前記反射型サブピクセルとは、それぞれ独立して制御駆動され、前記第１の透過型サブピクセルは、第１の色（例えば、赤）を表示し、前記第２の透過型サブピクセルは、第２の色（例えば、緑）を表示し、前記第３の透過型サブピクセルは、第３の色（例えば、青）を表示し、前記反射型サブピクセルは、白色を表示する。
（２）（１）において、前記反射型サブピクセルにより表示される白色の輝度は、前記第１の透過型サブピクセルにより表示される第１の色の輝度、前記第２の透過型サブピクセルにより表示される第２の色の輝度、および前記第３の透過型サブピクセルにより表示される第３の色の輝度に基づいて決定される。
（３）（２）において、前記反射型サブピクセルにより表示される白色の輝度は、前記第１の透過型サブピクセルにより表示される第１の色の輝度と、前記第２の透過型サブピクセルにより表示される第２の色の輝度と、前記第３の透過型サブピクセルにより表示される第３の色の輝度との和である。
【０００９】
（４）第１の基板と、第２の基板と、前記第１の基板と第２の基板との間に挟持される液晶とを有する液晶表示パネルを備え、前記液晶表示パネルは、複数のサブピクセルを有し、前記複数のサブピクセルは、第１ないし第３の少なくとも３個の透過型サブピクセルと、反射型サブピクセルとを１つの基本単位となし、前記４つの基本単位の中の１番目ないし４番目の前記反射型サブピクセルが周期的に配置されるように、前記複数のサブピクセルは配置され、前記第１ないし第３の透過型サブピクセルと、前記反射型サブピクセルとは、それぞれ独立して制御駆動され、前記４つの基本単位の中の４個の前記第１の透過型サブピクセルと、前記１番目の反射型サブピクセルは、第１の色（例えば、赤）を表示し、前記４つの基本単位の中の４個の前記第２の透過型サブピクセルと、前記２番目の反射型サブピクセルは、第２の色（例えば、緑）を表示し、前記４つの基本単位の中の４個の前記第３の透過型サブピクセルと、前記３番目の反射型サブピクセルは、第３の色（例えば、青）を表示し、前記４番目の反射型サブピクセルは、白色を表示する。
【００１０】
（５）（４）において、前記１番目の反射型サブピクセルにより表示される第１の色の輝度は、前記４つの基本単位の中の４個の前記第１の透過型サブピクセルに表示される第１の色の輝度に基づいて決定され、前記２番目の反射型サブピクセルにより表示される第２の色の輝度は、前記４つの基本単位の中の４個の前記第２の透過型サブピクセルに表示される第２の色の輝度に基づいて決定され、前記３番目の反射型サブピクセルにより表示される第３の色の輝度は、前記４つの基本単位の中の４個の前記第３の透過型サブピクセルに表示される第３の色の輝度に基づいて決定され、前記４番目の反射型サブピクセルにより表示される白色の輝度は、前記４つの基本単位の中の４個の前記第１の透過型サブピクセルに表示される第１の色の輝度、４個の前記第２の透過型サブピクセルに表示される第２の色の輝度、および、４個の前記第３の透過型サブピクセルに表示される第３の色の輝度に基づいて決定される。
【００１１】
（６）（５）において、前記１番目の反射型サブピクセルにより表示される第１の色の輝度は、前記４個の前記第１の透過型サブピクセルに表示される第１の色の輝度の平均値であり、前記２番目の反射型サブピクセルにより表示される第２の色の輝度は、前記４個の前記第２の透過型サブピクセルに表示される第２の色の輝度の平均値であり、前記３番目の反射型サブピクセルにより表示される第３の色の輝度は、前記４個の前記第３の透過型サブピクセルに表示される第３の色の輝度の平均値であり、前記４番目の反射型サブピクセルにより表示される白色の輝度は、前記４個の前記第１の透過型サブピクセルに表示される第１の色の輝度の平均値と、前記４個の前記第２の透過型サブピクセルに表示される第２の色の輝度の平均値と、前記４個の前記第３の透過型サブピクセルに表示される第３の色の輝度の平均値との和である。
【００１２】
（７）（１）ないし（６）の何れかにおいて、前記第１ないし第３の透過型サブピクセルの液晶の厚さと、前記反射型サブピクセルの液晶層の厚さとは同じである。
（８）（７）において、前記反射型サブピクセルの液晶層に印加される最小駆動電圧と最大駆動電圧との電位差は、前記第１ないし第３の透過型サブピクセルの液晶層に印加される最小駆動電圧と最大駆動電圧との電位差よりも小さい。
（９）（１）ないし（６）の何れかにおいて、前記反射型サブピクセルの液晶層の厚さは、前記第１ないし第３の透過型サブピクセルの液晶の厚さよりも薄い。
（１０）（９）において、前記反射型サブピクセルは、前記反射型サブピクセルの液晶層の厚さを調整する段差形成層を、前記第１の基板、あるいは、前記第２の基板に有する。
（１１）（１）ないし（１０）の何れかにおいて、前記複数のサブピクセルの各サブピクセルは、前記第１の基板上に形成された画素電極と、前記第２の基板上に形成された対向電極とを有し、前記画素電極と前記対向電極とによって電界を発生させて前記液晶を駆動する。
【００１３】
（１２）（１１）において、前記反射型サブピクセルは、前記画素電極上、あるいは、前記画素電極下に形成される反射電極を有する。
（１３）（１）ないし（１０）の何れかにおいて、前記複数のサブピクセルの各サブピクセルは、前記第１の基板上に形成された画素電極と対向電極とを有し、前記画素電極と前記対向電極とによって電界を発生させて前記液晶を駆動する。
（１４）前記反射型サブピクセルは、前記対向電極上、あるいは、前記対向電極下に形成される反射電極を有する。
（１５）（１３）または（１４）において、前記対向電極は、面状の電極であり、前記面状の対向電極上に形成される層間絶縁膜を有し、前記画素電極は、前記層間絶縁膜上に形成される。
（１６）（１）ないし（１０）の何れかにおいて、前記反射型サブピクセルは、第２の基板に位相差板を有する。
【００１４】
半透過型液晶表示パネルにおいて、反射率が十分に得られない原因の一つとして、隣接するサブピクセルの反射部の間に存在する信号線（映像線、走査線）や遮光膜（ＢＭ）などの反射領域以外の非反射領域の面積比率が非常に大きいことが挙げられる。
従って、本発明の液晶表示パネルでは、１サブピクセル内に、透過部と反射部との両方を有する半透過液晶表示パネルに対して、少なくとも３種類の色を表示可能な透過専用の少なくとも３個の透過型サブピクセルと、少なくとも１種類の色を表示可能な反射専用の１個の反射型サブピクセルを設け、３個の透過型サブピクセルと、１個の反射型サブピクセルとを、それぞれ独立して制御駆動する。
本発明のサブピクセル構成によると、反射部は、１サブピクセルで表示可能なため遮光膜などの遮光部による光の損失がほとんど無く、非常に高い反射特性を得ることができる。また、本発明の構成によると、反射型サブピクセルは、３個の透過型サブピクセルとは独立して制御可能なため、透過型サブピクセルと、反射型サブピクセルとの間に段差を設けなくとも、光路長（光学的位相差）を概略一致させることが可能となる。
従って、段差部を遮光するという遮光膜（ＢＭ）が不要となり、開口率を高くすることが可能となる。なお、反射型サブピクセルだけでは単色表示になるが、実際には、透過型サブピクセルの表示もあるので、屋外などの反射が主となる表示においてもカラー表示が可能となる。
【発明の効果】
【００１５】
本願において開示される発明のうち代表的なものによって得られる効果を簡単に説明すれば、下記の通りである。
本発明の液晶表示装置によれば、反射部の輝度を向上させることが可能となる。
【発明を実施するための最良の形態】
【００１６】
以下、図面を参照して本発明の実施例を詳細に説明する。
なお、実施例を説明するための全図において、同一機能を有するものは同一符号を付け、その繰り返しの説明は省略する。
図１は、本発明の実施例の液晶表示装置のサブピクセル構成を示す平面図である。
図１に示すように、本実施例では、複数のサブピクセルを、第１ないし第３の色として、赤（Ｒ）の色を表示する透過専用の透過型サブピクセル（ＴＲ）と、緑（Ｇ）の色を表示する透過専用の透過型サブピクセル（ＴＧ）と、青（Ｂ）の色を表示する透過専用の透過型サブピクセル（ＴＢ）の、少なくとも３個の透過専用の透過型サブピクセルと、１種類の色を表示する反射専用の反射型サブピクセル（ＲＷ）とを１つの基本単位とする。
従来の半透過型液晶表示パネルの反射部を、反射専用の反射型サブピクセル（ＲＷ）で置換することにより、信号線や、遮光膜（ＢＭ）などの不要な非反射領域をなくすことができ、反射部（即ち、反射型サブピクセル（ＲＷ））の開口率を大幅に向上させることが可能となる。
【００１７】
なお、反射型サブピクセル（ＲＷ）だけでは単色表示になるが，実際には、ＴＲ，ＴＧ，ＴＢの透過型サブピクセルの表示もあるので、屋外などの反射型サブピクセル（ＲＷ）が主となる表示においてもカラー表示が可能となる。
図２、図３は、本発明の実施例の液晶表示装置のサブピクセル構成の他の例を示す平面図である。
図２は、３個の透過型サブピクセル（ＴＲ，ＴＧ，ＴＢ）と、反射型サブピクセル（ＲＷ）とを２×２に配置し、この２×２の基本単位をマトリクス状に配置したものである。
図３は、３個の透過型サブピクセル（ＴＲ，ＴＧ，ＴＢ）と、反射型サブピクセル（ＲＷ）とを２×２に配置し、さらに、ＴＲの透過型サブピクセルとＲＷの反射型サブピクセルとを、ＴＧ，ＴＢの透過型サブピクセルに対して位置をずらして配置したものである。
【００１８】
本実施例の一例では、この反射型サブピクセル（ＲＷ）は、白（Ｗ）色を表示する。この場合に、反射型サブピクセル（ＲＷ）の階調電圧は、３個の透過型サブピクセル（ＴＲ，ＴＧ，ＴＢ）の階調電圧により決定する。
以下、反射型サブピクセル（ＲＷ）の階調電圧の生成方法について説明する。
図４は、本実施例において、反射型サブピクセル（ＲＷ）に白色を表示する場合の、反射型サブピクセル（ＲＷ）に入力する階調電圧の生成方法を説明するための図である。
図４の階調データ生成回路１０において、例えば、階調−輝度テーブルを用いて、図５の階調（Ｋ）−輝度（Ｉ）特性から、Ｒ，Ｇ，Ｂの階調データ（ＫＲ，ＫＧ，ＫＢ）に対応する、Ｒ，Ｇ，Ｂの輝度（ＩＲ，ＩＧ，ＩＢ）を求める。そして、反射型サブピクセル（ＲＷ）に表示する白色の輝度（ＩＴ）を、下記（１）式に示すように、Ｒ，Ｇ，Ｂの輝度の和で求める。
ＩＴ＝ＩＲ＋ＩＧ＋ＩＢ      ・・・・・・・・・・・・・・・    （１）
次に、例えば、階調−輝度テーブルを用いて、図６の階調（Ｋ）−輝度（Ｉ）特性から、白色の輝度（ＩＴ）に対応する、白色の階調データ（ＫＷ）を求める。
次に、階調電圧生成回路１１において、ＫＲ，ＫＧ，ＫＢ，ＫＷの階調データに基づき、３個の透過型サブピクセル（ＴＲ，ＴＧ，ＴＢ）と反射型サブピクセル（ＲＷ）に出力するＲ，Ｇ，Ｂ，Ｗの階調電圧を生成し、それぞれのサブピクセルにおいて、Ｒ，Ｇ，Ｂ，Ｗの各色を、所望輝度で表示する。
【００１９】
図７は、本発明の実施例の液晶表示装置のサブピクセル構成の他の例を示す平面図である。
図７に示す例は、Ｒ，Ｇ、Ｂの色を表示する少なくとも３個の透過専用の透過型サブピクセル（ＴＲ，ＴＧ，ＴＢ）と、１種類の色を表示する反射専用の反射型サブピクセルとを１つの基本単位となし、さらに、反射型サブピクセルを、赤（Ｒ）を表示する反射型サブピクセル（ＲＲ）と、緑（Ｇ）を表示する反射型サブピクセル（ＲＧ）と、青（Ｂ）を表示する反射型サブピクセル（ＲＢ）と、白（Ｗ）を表示する反射型サブピクセル（ＲＷ）の４個の反射型サブピクセルで１基本単位となるように周期的に配置にしたものである。
図１に示す例に比して、それぞれの反射型サブピクセルのカラーフィルタの色を、例えば、赤（Ｒ），緑（Ｇ），青（Ｂ），白（Ｗ）などの複数色にすることにより、反射型サブピクセルもカラー表示が可能となる。
図８、図９は、本発明の実施例の液晶表示装置のサブピクセル構成の他の例を示す平面図である。
図８は、図２に示すサブピクセル構成において、反射型サブピクセルを、ＲＲ，ＲＧ，ＲＢ，ＲＷの４個の反射型サブピクセルで１基本単位となるように周期的に配置にしたものである。
図９は、図３に示すサブピクセル構成において、反射型サブピクセルを、ＲＲ，ＲＧ，ＲＢ，ＲＷの４反射型サブピクセルで１基本単位となるように周期的に配置にしたものである。
【００２０】
以下、図８に示すサブピクセル構成を例にとって、ＲＲ，ＲＧ，ＲＢ，ＲＷの４個の反射型サブピクセルの階調電圧の生成方法について説明する。
図１０は、本実施例において、ＲＲ，ＲＧ，ＲＢ，ＲＷの４個の反射型サブピクセルに入力する階調電圧の生成方法を説明するための図である。
ＲＲの反射型サブピクセルの階調データ（ＫＲＲ）は、隣接する４個の透過型サブピクセル（ＴＲ１〜ＴＲ４）の階調データから求める。
図１０の階調データ生成回路１２において、例えば、階調−輝度テーブルを用いて、図１１の階調（Ｋ）−輝度（Ｉ）特性から、隣接する４個の透過型サブピクセル（ＴＲ１〜ＴＲ４）の階調データ（ＫＴＲ１〜ＫＴＲ４）に対応する、それぞれの輝度（ＩＴＲ１〜ＩＴＲ４）を求める。
次に、反射型サブピクセル（ＲＷ）に表示する赤色の輝度（ＩＴＲＴ）として、下記（２）式に示すように、ＩＴＲ１，ＩＴＲ２，ＩＴＲ３，ＩＴＲ４の輝度の平均値を求める。
ＩＴＲＴ＝（ＩＴＲ１＋ＩＴＲ２＋ＩＴＲ３＋ＩＴＲ４）／４    ・・・・  （２）
次に、例えば、階調−輝度テーブルを用いて、図１２の階調（Ｋ）−輝度（Ｉ）特性から、輝度の平均値（ＩＴＲＴ）に対応する、ＲＲの反射型サブピクセルの階調データ（ＫＲＲ）を求める。
ＲＧの反射型サブピクセルの階調データ（ＫＲＧ）と、ＲＢの反射型サブピクセルの階調データ（ＫＲＢ）も同様にして求める。
【００２１】
ＲＷの反射型サブピクセルの階調データ（ＫＲＷ）は、隣接す１２個の透過型サブピクセル（ＴＲ１〜ＴＲ４，ＴＧ１〜ＴＧ４，ＴＢ１〜ＴＢ４）の階調データから求める。
図１０の階調データ生成回路１２において、例えば、階調−輝度テーブルを用いて、図１３の階調（Ｋ）−輝度（Ｉ）特性から、隣接する４個の透過型サブピクセル（ＴＲｘ）（ｘ＝１〜４）の階調データ（ＫＴＲ１〜ＫＴＲ４）に対応する、それぞれの輝度（ＩＴＲ１〜ＩＴＲ４）、および、隣接する４個の透過型サブピクセル（ＴＧｘ）（ｘ＝１〜４）の階調データ（ＫＴＧ１〜ＫＴＧ４）に対応する、それぞれの輝度（ＩＴＧ１〜ＩＴＧ４）、並びに、隣接する４個の透過型サブピクセル（ＴＢｘ）（ｘ＝１〜４）の階調データ（ＫＴＢ１〜ＫＴＢ４）に対応する、それぞれの輝度（ＩＴＢ１〜ＩＴＢ４）を求め、下記（３）式に示すように、その平均の輝度を求める。
ＩＴ＝（ＩＴＲ１＋ＩＴＲ２＋ＩＴＲ３＋ＩＴＲ４）／４
＋（ＩＴＧ１＋ＩＴＧ２＋ＩＴＧ３＋ＩＴＧ４）／４
＋（ＩＴＢ１＋ＩＴＢ２＋ＩＴＢ３＋ＩＴＢ４）／４
・・・・・・・・・・・・  （３）
次に、例えば、階調−輝度テーブルを用いて、図１４の階調（Ｋ）−輝度（Ｉ）特性から、輝度の平均値（ＩＴ）に対応する、ＲＷの反射型サブピクセルの階調データ（ＫＲＷ）を求める。
次に、階調電圧生成回路１３において、（ＫＴＲ１〜ＫＴＲ４），（ＫＴＧ１〜ＫＴＧ４），（ＫＴＢ１〜ＫＴＢ４），（ＫＲＲ，ＫＲＧ，ＫＲＢ，ＫＲＷ）の階調データに基づき、１２個の透過型サブピクセル（ＴＲ１〜ＴＲ４，ＴＧ１〜ＴＧ４，ＴＢ１〜ＴＢ４）と、反射型サブピクセル（ＲＲ，ＲＧ，ＲＢ，ＲＷ）に出力するＲ，Ｇ，Ｂ，Ｗの階調電圧を生成し、それぞれのサブピクセルにおいて、Ｒ，Ｇ，Ｂ，Ｗの各色を、所望輝度で表示する。
【００２２】
以下、図１５、図１６を用いて、本実施例の反射開口率について説明する。
サブピクセルの寸法を、図１５に示す値（単位は、μｍ）としたとき、図１５（ｂ）に示す、従来のサブピクセル構成において、１サブピクセルの中の透過部の面積は、２１２８μｍ２（＝２８μｍ×７６μｍ）、また、１サブピクセルの中の反射部の面積は、４４８μｍ２（＝２８μｍ×１６μｍ）、反射部の合計面積は、１３４４μｍ２（＝４４８×３）となる。
また、図１５（ａ）に示す、本実施例のサブピクセル構成において、透過型サブピクセル面積は、２１１６μｍ２（＝４６μｍ×４６μｍ）、反射型サブピクセルの面積は、２１１６μｍ２（＝４６μｍ×４６μｍ）となる。
１画素のピッチを一定とし、透過部の開口率を一定、即ち、ＴＲ’≒ＴＲ、ＴＧ’≒ＴＧ、ＴＢ’≒ＴＢとすると、下記（４）式により、 反射開口率は１．５７となる。
ＲＷ／（ＲＲ＋ＲＧ＋ＲＢ）＝２１１６／１３４４≒１．５７
・・・・・・・・・・・・・・・・  （４）
従って、図１５（ａ）に示すサブピクセル構成の場合の反射開口率は、従来のサブピクセル構成の反射合計開口率の約１．５７倍になり、従来に比べて反射率を大幅に改善することができる。
【００２３】
また、サブピクセルの寸法を、図１６に示す値（単位は、ミクロン）としたとき、図１６（ｂ）に示す、従来のサブピクセル構成において、１サブピクセルの中の透過部の面積は、２１２８μｍ２（＝２８μｍ×７６μｍ）、また、１サブピクセルの中の反射部の面積は、４４８μｍ２（＝２８μｍ×１６μｍ）、反射部の合計面積は、１３４４μｍ２（＝４４８×３）となる。
また、図１６（ａ）に示す、本実施例のサブピクセル構成において、透過型サブピクセル面積は、２１３０μｍ２（＝１００μｍ×２１．３μｍ）、反射型サブピクセルの面積は、２０１０μｍ２（＝１００μｍ×２０．１μｍ）となる。
１画素のピッチを一定とし、透過部の開口率を一定、即ち、ＴＲ’≒ＴＲ、ＴＧ’≒ＴＧ、ＴＢ’≒ＴＢとすると、下記（５）式により、 反射開口率は１．５となる。
ＲＷ／（ＲＲ＋ＲＧ＋ＲＢ）＝２０１０／１３４４≒１．５
・・・・・・・・・・・・・・・・  （５）
従って、図１６（ａ）に示すサブピクセル構成の場合の反射開口率は、従来のサブピクセル構成の反射合計開口率の約１．５０倍になり、従来に比べて反射率を大幅に改善することができる。
【００２４】
図１７は、本実施例の液晶表示装置の概略構成を示すブロック図である。
図１７において、Ｔsubは透過型サブピクセル、Ｒsubは反射型サブピクセル、５０は映像線駆動回路、６０は走査線駆動回路である。映像線駆動回路５０は映像線（ＤＬ）に階調電圧を出力する。また、走査線駆動回路６０は、走査線（ＧＬ）に対して、順次薄膜トランジスタ（ＴＦＴ）をオンとする選択走査電圧を出力する。
本実施例によれば、図１７に示すように、透過型サブピクセル（Ｔsub）と、反射型サブピクセル（Ｒsub）で、独立に階調電圧が制御可能なため、透過型サブピクセル（Ｔsub）と反射型サブピクセル（Ｒsub）とで、液晶層の厚さ（セルギャップ長）に差を設けなくとも、光学的位相差を一致させることができる。
その場合の断面構造を、図１８に示す。なお、図１８は、図２のＡ−Ａ’切断線に沿った概略断面構造を示す断面図である。
図１８において、ＳＵＢ１，ＳＵＢ２はガラス基板、ＬＣは液晶層、ＢＭは遮光膜、ＣＦＲはカラーフィルタ、ＯＣは保護膜、ＣＥは対向電極、ＰＡＳ１，ＰＡＳ２は層間絶縁膜、ＰＥは画素電極、ＲＥは反射電極、ＡＬ１，ＡＬ２は配向膜、ＰＯＬ１，ＰＯＬ２は偏光板、ＲＥＴ１，ＲＥＴ２は位相差板、ＴＦＴは薄膜トランジスタである。
図１８に示す断面構造は、透過型サブピクセル（ＴＲ，ＴＧ，ＴＢ）と、反射型サブピクセル（ＲＷ）とが独立している点と、反射型サブピクセル（ＲＷ）に、透過型サブピクセル（ＴＲ，ＴＧ，ＴＢ）と反射型サブピクセル（ＲＷ）とで、液晶層の厚さに差を設けるための段差がない点で、図２９、図３０に示す従来の半透過型液晶表示パネルの断面構造と相違する。
【００２５】
なお、画素電極（ＰＥ）および対向電極（ＣＴ）は、例えば、ＩＴＯ（Indium Tin Oxide）等の透明導電膜で構成される。
また、本実施例において、透過型サブピクセル（ＴＲ，ＴＧ，ＴＢ）と反射型サブピクセル（ＲＷ）とで、液晶層の厚さに差を設けてもよい。
この場合の構造を、図１９、図２０に示す。その際、透過型サブピクセル（ＴＲ，ＴＧ，ＴＢ）と反射型サブピクセル（ＲＷ）との、液晶層の厚さの比率は２：１である必要はない。また、液晶層の厚さに差を設けるための段差は、図１９に示すようにガラス基板（ＳＵＢ２）、あるいは、図２０に示すように、ガラス基板（ＳＵＢ１）のいずれのガラス基板に設けてもよい。この場合に、液晶層の厚さに差を設けるための段差を形成したとしても、段差部の境界は、サブピクセルの境界と一致するため、特に、遮光膜を追加する必要はなく、開口率は低下しない。なお、図１９、図２０では、配向膜（ＡＬ１，ＡＬ２）と、偏光板（ＰＯＬ１，ＰＯＬ２）と、位相差板（ＲＥＴ１，ＲＥＴ２）の図示は省略している。
【００２６】
図２１、図２２は、本実施例の液晶表示パネルの動作を説明するための図である。なお、図２１、図２２は、図２のＡ−Ａ’切断線に沿った概略断面構造を示す断面図である。また、図２１、図２２では、配向膜（ＡＬ１，ＡＬ２）と、偏光板（ＰＯＬ１，ＰＯＬ２）と、位相差板（ＲＥＴ１，ＲＥＴ２）の図示は省略している。
ＶＡ方式（垂直配向方式）の液晶表示パネル場合、液晶層（ＬＣ）に印加する駆動電圧が、しきい値電圧以下、あるいは非常に小さい場合は、液晶層（ＬＣ）の光学位相差がほぼゼロのため、反射型サブピクセル（ＲＷ）に、液晶層の厚さに差を設けるための段差を形成しなくても、透過型サブピクセル（ＴＲ，ＴＧ，ＴＢ）と反射型サブピクセル（ＲＷ）のいずれも、「黒」を表示することができる。
「白」を表示する時は、白表示に必要な光学位相差Π（パイ）を得るためには、反射型サブピクセル（ＲＷ）は、透過型サブピクセル（ＴＲ，ＴＧ，ＴＢ）に対して光路長が約２倍になるため、光学位相差Πを合わせるために、反射型サブピクセル（ＲＷ）の液晶層（ＬＣ）に印加する電圧を、透過型サブピクセル（ＴＲ，ＴＧ，ＴＢ）の液晶層（ＬＣ）に印加する電圧よりも低くして、液晶層（ＬＣ）の実効的な屈折率異方性を小さくする必要がある。このようにすることで、透過型サブピクセル（ＴＲ，ＴＧ，ＴＢ）と反射型サブピクセル（ＲＷ）のいずれも、「白」表示が可能となる。
【００２７】
図２３は、ＶＡ方式（垂直配向方式）の液晶表示パネルにおける、印加電圧（Ｖ）−透過率（ＰＥＴ）・反射率（ＰＥＲ）の関係を示すグラフである。図２３のＡが、透過サブピクセル（ＴＲ，ＴＧ，ＴＢ）の透過率（ＰＥＴ）を、図２３のＢが、液晶層の厚さに差を設けるための段差を形成した場合の反射型サブピクセル（ＲＷ）の反射率（ＰＥＲ）を、図２３のＣが、液晶層の厚さに差を設けるための段差を形成しない場合の反射型サブピクセル（ＲＷ）の反射率（ＰＥＲ）を示す。
図２３のＡに示す、透過型サブピクセル（ＴＲ，ＴＧ，ＴＢ）の印加電圧（Ｖ）−透過率（ＰＥＴ）特性に対して、図２３のＢに示す、液晶層の厚さに差を設けるための段差を形成した場合の反射型サブピクセル（ＲＷ）の印加電圧（Ｖ）−反射率（ＰＥＲ）特性は、最大反射率を得る電圧が、透過型サブピクセル（ＴＲ，ＴＧ，ＴＢ）の印加電圧（Ｖ）−透過率（ＰＥＴ）特性と概略一致する。
一方、図２３のＣに示す、液晶層の厚さに差を設けるための段差を形成しない場合の反射型サブピクセル（ＲＷ）の印加電圧（Ｖ）−反射率（ＰＥＲ）特性は、最大反射率を得る電圧が、透過型サブピクセル（ＴＲ，ＴＧ，ＴＢ）の印加電圧（Ｖ）−透過率（ＰＥＴ）特性よりも低くなる。
すなわち、液晶層の厚さに差を設けるための段差を形成しない場合、「白」表示時には、反射型サブピクセル（ＲＷ）の液晶層（ＬＣ）に印加される最小駆動電圧と最大駆動電圧との電位差は、透過型サブピクセル（ＴＲ，ＴＧ，ＴＢ）の液晶層（ＬＣ）に印加される最小駆動電圧と最大駆動電圧との電位差よりも小さくなる。
【００２８】
なお、前述までの説明では、本発明を、ＶＡ方式の液晶表示パネルに適用した実施例について説明したが、本発明は、ＶＡ方式の液晶表示パネルに限らず、ＴＮ方式の液晶表示パネル、ＥＣＢ方式の液晶表示パネル、あるいは、ＩＰＳ方式の液晶表示パネルにも適用可能である。
図２４は、本実施例の液晶表示パネルの他の例の概略断面構造を示す断面図である。なお、図２４は、本発明をＩＰＳ方式の液晶表示パネルに適用した実施例である。
図２４に示す液晶表示パネルでも、液晶層（ＬＣ）を挟んで、一対のガラス基板（ＳＵＢ１，ＳＵＢ２）が設けられる。ここで、ガラス基板（ＳＵＢ２）の主表面側が観察側となっている。
ガラス基板（ＳＵＢ２）の液晶層側には、ガラス基板（ＳＵＢ２）から液晶層（ＬＣ）に向かって順に、遮光膜（ＢＭ）およびカラーフィルタ（ＣＦＲ）、保護膜（ＯＣ），配向膜（ＡＬ２）が形成される。なお、ガラス基板（ＳＵＢ２）の外側には、位相差板（ＲＥＴ２）と、偏光板（ＰＯＬ２）が配置される。
また、ガラス基板（ＳＵＢ１）の液晶層側には、ガラス基板（ＳＵＢ１）から液晶層（ＬＣ）に向かって順に、薄膜トランジスタ（ＴＦＴ）、層間絶縁膜（ＰＡＳ１）、走査線（ゲート線ともいう）（図示せず）、層間絶縁膜（ＰＡＳ２）、映像線（ソース線またはドレイン線ともいう）（図示せず）、対向電極（ＣＥ）、反射電極（ＲＥ）、層間絶縁膜（ＰＡＳ３）、画素電極（ＰＥ）、配向膜（ＡＬ１）が形成される。なお、ガラス基板（ＳＵＢ１）の外側には、位相差板（ＲＥＴ１）、偏光板（ＰＯＬ１）が配置される。
【００２９】
図２５は、図２４に示す液晶表示パネルにおける電極形状を説明するための図である。
図２５（ａ）に示す例では、対向電極（ＣＥ）は面状に形成され、画素電極（ＰＥ）は、複数本の櫛歯電極（ＫＳＢ）を有する。また、図２５（ｂ）に示す例では、対向電極（ＣＥ）は面状に形成され、画素電極（ＰＥ）は、両端が閉じた複数のスリット（ＳＬＴ）を有する。さらに、画素電極（ＰＥ）と対向電極（ＣＥ）とは、層間絶縁膜（ＰＡＳ３）を介して重畳しており、これによって保持容量を形成している。
なお、図２４に示す液晶表示パネルにおいて、図２６に示すように、反射型サブピクセル（ＲＷ）の、ガラス基板（ＳＵＢ２）の液晶層側に、液晶層の厚さに差を設けるための段差形成層（ＭＲ）を形成してもよい。
また、図２４に示す液晶表示パネルにおいて、図２７に示すように、反射型サブピクセル（ＲＷ）に、位相差板（１／２波長板）（ＲＥＴ）を形成し、位相差板（ＲＥＴ１，ＲＥＴ２）を省略してもよい。なお、図２７の構成は、ＩＰＳ方式の液晶表示パネルに限らず、ＴＮ方式の液晶表示パネル、ＥＣＢ方式の液晶表示パネル、あるいは、ＶＡ方式の液晶表示パネルにも適用可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００３０】
【図１】本発明の実施例の液晶表示パネルのサブピクセル構成を示す平面図である。
【図２】本発明の実施例の液晶表示パネルのサブピクセル構成の他の例を示す平面図である。
【図３】本発明の実施例の液晶表示パネルのサブピクセル構成の他の例を示す平面図である。
【図４】本発明の実施例において、反射型サブピクセル（ＲＷ）に白色を表示する場合の、反射型サブピクセル（ＲＷ）に入力する階調電圧の生成方法を説明するための図である。
【図５】Ｒ，Ｇ，Ｂの階調データと、輝度の関係を示すグラフである。
【図６】Ｗの階調データと、輝度の関係を示すグラフである。
【図７】本発明の実施例の液晶表示パネルのサブピクセル構成の他の例を示す平面図である。
【図８】本発明の実施例の液晶表示パネルのサブピクセル構成の他の例を示す平面図である。
【図９】本発明の実施例の液晶表示パネルのサブピクセル構成の他の例を示す平面図である。
【図１０】本発明の実施例において、ＲＲ，ＲＧ，ＲＢ，ＲＷの４個の反射型サブピクセルに入力する階調電圧の生成方法を説明するための図である。
【図１１】Ｒの階調データと、輝度の関係を示すグラフである。
【図１２】Ｒの階調データと、輝度の関係を示すグラフである。
【図１３】Ｒ，Ｇ，Ｂの階調データと、輝度の関係を示すグラフである。
【図１４】Ｗの階調データと、輝度の関係を示すグラフである。
【図１５】本発明の実施例における反射開口率について説明する図である。
【図１６】本発明の実施例における反射開口率について説明する図である。
【図１７】本発明の実施例の液晶表示装置の概略構成を示すブロック図である。
【図１８】本発明の実施例の液晶表示パネルにおいて、液晶層の厚さに差を設けない場合の概略断面構造の一例を示す断面図である。
【図１９】本発明の実施例の液晶表示パネルにおいて、液晶層の厚さに差を設けた場合の概略断面構造の一例を示す断面図である。
【図２０】本発明の実施例の液晶表示パネルにおいて、液晶層の厚さに差を設けた場合の概略断面構造の他の例を示す断面図である。
【図２１】本発明の実施例の液晶表示パネルの動作を説明するための図である。
【図２２】本発明の実施例の液晶表示パネルの動作を説明するための図である。
【図２３】ＶＡ方式（垂直配向方式）の半透過型液晶表示パネルにおいて、印加電圧（Ｖ）−透過率（ＰＥＴ）・反射率（ＰＥＲ）の関係を示すグラフである。
【図２４】本発明の実施例の液晶表示パネルの他の例の概略断面構造を示す断面図である。
【図２５】図２４に示す液晶表示パネルにおける電極形状を説明するための図である。
【図２６】図２４に示す液晶表示パネルの変形例を示す断面図である。
【図２７】図２４に示す液晶表示パネルの他の変形例を示す断面図である。
【図２８】従来の半透過型液晶表示パネルのサブピクセル構成を示す平面図である。
【図２９】図２８のＡ−Ａ’切断線に沿った概略断面構造の一例を示す断面図である。
【図３０】図２８のＡ−Ａ’切断線に沿った概略断面構造の他の例を示す断面図である。
【符号の説明】
【００３１】
１０，１２  階調データ生成回路
１１、１３  階調電圧生成回路
３０  透過部
３１  反射部
５０  映像線駆動回路
６０  走査線駆動回路
ＴＲ，ＴＧ，ＴＢ，Ｔsub  透過型サブピクセル
ＲＲ，ＲＧ，ＲＢ，ＲＷ，Ｒsub  反射型サブピクセル
ＰＡＳ１〜ＰＡＳ３  層間絶縁膜
ＬＣ  液晶層
ＳＵＢ１，ＳＵＢ２  ガラス基板
ＢＭ  遮光膜
ＯＣ  保護膜
ＣＦＲ  カラーフィルタ
ＭＲ  段差形成層
ＲＥＴ，ＲＥＴ１，ＲＥＴ２  位相差板
ＡＬ１，ＡＬ２  配向膜
ＰＯＬ１，ＰＯＬ２  偏光板
ＣＥ  対向電極
ＲＥ  反射電極
ＰＥ  画素電極
ＫＳＢ  櫛歯電極
ＳＬＴ  スリット
ＤＬ  映像線（ドレイン線またはソース線）
ＧＬ  走査線（ゲート線）
ＴＦＴ  薄膜トランジスタ
ＰＡ１  光漏れ領域
ＴＢ１，ＴＢ２  遮光膜で遮光される領域
【図１】
2008064945.tif 000003
【図２】
2008064945.tif 000004
【図３】
2008064945.tif 000005
【図４】
2008064945.tif 000006
【図５】
2008064945.tif 000007
【図６】
2008064945.tif 000008
【図７】
2008064945.tif 000009
【図８】
2008064945.tif 000010
【図９】
2008064945.tif 000011
【図１０】
2008064945.tif 000012
【図１１】
2008064945.tif 000013
【図１２】
2008064945.tif 000014
【図１３】
2008064945.tif 000015
【図１４】
2008064945.tif 000016
【図１５】
2008064945.tif 000017
【図１６】
2008064945.tif 000018
【図１７】
2008064945.tif 000019
【図１８】
2008064945.tif 000020
【図１９】
2008064945.tif 000021
【図２０】
2008064945.tif 000022
【図２１】
2008064945.tif 000023
【図２２】
2008064945.tif 000024
【図２３】
2008064945.tif 000025
【図２４】
2008064945.tif 000026
【図２５】
2008064945.tif 000027
【図２６】
2008064945.tif 000028
【図２７】
2008064945.tif 000029
【図２８】
2008064945.tif 000030
【図２９】
2008064945.tif 000031
【図３０】
2008064945.tif 000032